(57)【特許請求の範囲】
【請求項１】
人口を推計しようとする対象範囲を入力する入力手段と、
エリアごとに対応付けられた人口統計値を格納する人口統計情報格納手段と、
エリアごとに対応付けられた鳥瞰画像を格納する鳥瞰画像格納手段と、
一般物体と、当該一般物体に滞在していることが期待される人の数を示す人数期待値とを対応付けた表を格納する人数期待値格納手段と、
前記入力手段によって入力された対象範囲を含む鳥瞰画像を前記鳥瞰画像格納手段から取得し、取得した鳥瞰画像に含まれる一般物体を認識する認識手段と、
前記人数期待値格納手段に格納された前記表を参照し、前記認識手段によって認識された鳥瞰画像に含まれる一般物体に人数期待値を割り当てる割当手段と、
前記対象範囲を含む前記鳥瞰画像に対応するエリアの人口統計値を前記人口統計情報格納手段から取得し、前記割当手段によって割り当てられた前記対象範囲を含む前記鳥瞰画像に含まれる一般物体の人数期待値の合計値が前記取得した人口統計値と一致するように、当該一般物体の人数期待値に補正係数を乗ずる補正手段と、
前記補正手段によって補正された、前記鳥瞰画像に含まれる一般物体の人数期待値を集計する集計手段と、
を備える、人口推計システム。
【請求項２】
前記人数期待値格納手段に格納された前記表は、さらに、一般物体が予め選択された一般物体であるか否かを示すフラグを一般物体および人数期待値と対応付けており、
前記補正手段は、前記人数期待値格納手段に格納された前記表の前記フラグを参照し、前記予め選択された一般物体の人数期待値についてはその値を維持し、前記合計値から前記予め選択された一般物体の人数期待値を減算した値が、前記取得した人口統計値から当該人口統計値に対応付けられたエリア内での前記予め選択された一般物体の人数期待値の合計値を減算した値と一致するように、前記予め選択された一般物体以外の一般物体の人数期待値に補正係数を乗ずる、
請求項１に記載の人口推計システム。
【請求項３】
前記補正手段は、前記対象範囲を含む前記鳥瞰画像に含まれる一般物体が前記対象範囲またはエリアの境界をまたいで位置している場合には、前記鳥瞰画像において当該一般物体のうちの前記境界の内側に位置する部分の面積を、当該一般物体の全体の面積で除算した値を、当該一般物体の人数期待値に乗ずる、請求項１または２に記載の人口推計システム。
【請求項４】
前記人数期待値格納手段に格納された前記表は、さらに、時間帯および場所の組み合わせに応じた人数期待値を、一般物体と対応付けており、
前記割当手段は、前記人数期待値格納手段に格納された前記表を参照し、時間帯および場所の組み合わせに応じた人数期待値を、前記認識手段によって認識された鳥瞰画像に含まれる一般物体に割り当てる、
請求項１〜３のいずれか１項に記載の人口推計システム。
【請求項５】
前記人数期待値格納手段に格納された前記表は、さらに、予め定められた一般物体について定義された単位面積当たりの人数期待値を、当該予め定められた一般物体と対応付けており、
前記割当手段は、前記人数期待値格納手段に格納された前記表を参照し、前記単位面積当たりの人数期待値を用いて算出した人数期待値を、前記鳥瞰画像に含まれる一般物体のうち前記予め定められた一般物体に割り当てる、
請求項１〜４のいずれか１項に記載の人口推計システム。
【請求項６】
人口を推計しようとする対象範囲を入力する入力手段と、
エリアごとに対応付けられた鳥瞰画像を格納する鳥瞰画像格納手段と、
車を含む一般物体と、当該一般物体に滞在していることが期待される人の数を示す人数期待値とを対応付けて記述する表を格納する人数期待値格納手段と、
駐車場と当該駐車場が付属する施設とを対応付けた表を格納する付属駐車場情報格納手段と、
前記付属駐車場情報格納手段に格納された表を参照し、前記入力手段によって入力された前記対象範囲内の施設に付属する駐車場の有無を判定する判定手段と、
前記判定手段によって前記対象範囲内の施設に付属する駐車場が有ると判定された場合、前記入力手段によって入力された対象範囲を含む鳥瞰画像を前記鳥瞰画像格納手段から取得し、取得した鳥瞰画像に含まれる前記施設に付属する駐車場内の車を認識する認識手段と、
前記人数期待値格納手段に格納された前記表を参照し、前記認識手段によって認識された鳥瞰画像に含まれる車に、人数期待値を割り当てる割当手段と、
前記割当手段によって割り当てられた車の人数期待値を集計することによって、前記施設の人口推計値を算出する算出手段と、
を備える、人口推計システム。
【請求項７】
人口を推計しようとする対象範囲を入力する入力手段と、
同一のエリアについての異なる時刻において取得された複数の人口統計値を、エリアごとに対応付けられた人口統計値として格納する人口統計情報格納手段と、
同一のエリアについての異なる時刻において撮像された複数の鳥瞰画像を、エリアごとに対応付けられた鳥瞰画像として格納する鳥瞰画像格納手段と、
前記入力手段によって入力された対象範囲を含む鳥瞰画像であって異なる時刻に撮像された複数の鳥瞰画像を前記鳥瞰画像格納手段から取得し、取得した複数の鳥瞰画像を時系列で比較することによって鳥瞰画像における存在の有無に変化のあった特定物体を認識する認識手段と、
前記人口統計情報格納手段に格納された人口統計値を参照し、前記認識手段によって認識された特定物体が存在している鳥瞰画像の撮像時刻における当該鳥瞰画像に対応する人口統計値から、当該特定物体が存在していなかった鳥瞰画像の撮像時刻における当該鳥瞰画像に対応する人口統計値を減算することで、前記対象範囲の人口推計値を算出する算出手段と、
を備える、人口推計システム。
【請求項８】
エリアごとに対応付けられた人口統計値を格納する人口統計情報格納部と、
エリアごとに対応付けられた鳥瞰画像を格納する鳥瞰画像格納部と、
一般物体と、当該一般物体に滞在していることが期待される人の数を示す人数期待値とを対応付けた表を格納する人数期待値格納部と、
を備えた人口推計システムによって実行される人口推計方法であって、
人口を推計しようとする対象範囲を入力する入力ステップと、
前記入力ステップで入力された対象範囲を含む鳥瞰画像を前記鳥瞰画像格納部から取得し、取得した鳥瞰画像に含まれる一般物体を認識する認識ステップと、
前記人数期待値格納部に格納された前記表を参照し、前記認識ステップで認識された鳥瞰画像に含まれる一般物体に人数期待値を割り当てる割当ステップと、
前記対象範囲を含む前記鳥瞰画像に対応するエリアの人口統計値を前記人口統計情報格納部から取得し、前記割当ステップで割り当てられた前記対象範囲を含む前記鳥瞰画像に含まれる一般物体の人数期待値の合計値が前記取得した人口統計値と一致するように、当該一般物体の人数期待値に補正係数を乗ずる補正ステップと、
前記補正ステップで補正された、前記鳥瞰画像に含まれる一般物体の人数期待値を集計する集計ステップと、
を含む、人口推計方法。
【請求項９】
エリアごとに対応付けられた鳥瞰画像を格納する鳥瞰画像格納部と、
車を含む一般物体と、当該一般物体に滞在していることが期待される人の数を示す人数期待値とを対応付けて記述する表を格納する人数期待値格納部と、
駐車場と当該駐車場が付属する施設とを対応付けた表を格納する付属駐車場情報格納部と、
を備えた人口推計システムによって実行される人口推計方法であって、
人口を推計しようとする対象範囲を入力する入力ステップと、
前記付属駐車場情報格納部に格納された表を参照し、前記入力ステップで入力された前記対象範囲内の施設に付属する駐車場の有無を判定する判定ステップと、
前記判定ステップで前記対象範囲内の施設に付属する駐車場が有ると判定された場合、前記入力ステップで入力された対象範囲を含む鳥瞰画像を前記鳥瞰画像格納部から取得し、取得した鳥瞰画像に含まれる前記施設に付属する駐車場内の車を認識する認識ステップと、
前記人数期待値格納部に格納された前記表を参照し、前記認識ステップで認識された鳥瞰画像に含まれる車に、人数期待値を割り当てる割当ステップと、
前記割当ステップで割り当てられた車の人数期待値を集計することによって、前記施設の人口推計値を算出する算出ステップと、
を含む、人口推計方法。
【請求項１０】
同一のエリアについての異なる時刻において取得された複数の人口統計値を、エリアごとに対応付けられた人口統計値として格納する人口統計情報格納部と、
同一のエリアについての異なる時刻において撮像された複数の鳥瞰画像を、エリアごとに対応付けられた鳥瞰画像として格納する鳥瞰画像格納部と、
を備えた人口推計システムによって実行される人口推計方法であって、
人口を推計しようとする対象範囲を入力する入力ステップと、
前記入力ステップで入力された対象範囲を含む鳥瞰画像であって異なる時刻に撮像された複数の鳥瞰画像を前記鳥瞰画像格納部から取得し、取得した複数の鳥瞰画像を時系列で比較することによって鳥瞰画像における存在の有無に変化のあった特定物体を認識する認識ステップと、
前記人口統計情報格納部に格納された人口統計値を参照し、前記認識ステップで認識された特定物体が存在している鳥瞰画像の撮像時刻における当該鳥瞰画像に対応する人口統計値から、当該特定物体が存在していなかった鳥瞰画像の撮像時刻における当該鳥瞰画像に対応する人口統計値を減算することで、前記対象範囲の人口推計値を算出する算出ステップと、
を含む、人口推計方法。
【発明の詳細な説明】
【技術分野】
【０００１】
本発明は、対象範囲の人口を推計する人口推計システムおよび人口推計方法に関する。
【背景技術】
【０００２】
国勢調査をはじめとする人口統計情報は、国や地方公共団体における、街づくりおよび防災計画といった分野での施策の高度化に貢献してきた。近年では、人口統計情報は、高解像化によって応用の幅を広げ、不動産開発および販売促進、携帯電話ネットワークの置局設計といった分野での利用・検討が進められている。人口統計情報は、高解像化するほど応用先の幅が広がり、多様な分野の高度化に寄与することが可能である。このような観点から、より解像度の高い人口統計情報の実現に向けて、下記の特許文献１、２に次のような手法が開示されている。
【０００３】
特許文献１には、対象エリアの人口を推計するシステムとして、携帯電話ネットワークにおいて、各基地局のセクタに対して位置登録された携帯端末の端末数に基づいて、各セクタに在圏している携帯端末の端末数（人口）を推計するシステムが開示されている。
【０００４】
また、特許文献２では、地図の施設名称から当該施設の種別を推定し，施設種別ごとに調査された人口および人口の時間的な変動パターンをもとに，施設単位の人口を推計する手法が開示されている。
【先行技術文献】
【特許文献】
【０００５】
【特許文献１】特開２００３−１２２８７７号公報
【特許文献２】特開２０１０−２００２８３号公報
【発明の概要】
【発明が解決しようとする課題】
【０００６】
しかしながら、特許文献１の方法では、携帯電話ネットワークを利用するという原理上、人口推計が可能な対象エリアの解像度は、各基地局のセクタの大きさに依存するため、数百メートル程度に留まってしまう。
【０００７】
また、特許文献２の方法は、特許文献１の方法よりも空間解像度が高い人口推計統計情報を提供可能なものの、施設の利用人口推計値をもとに対象エリアの人口を推計するため、特許文献２の方法が定める施設以外の人口を考慮することができない。加えて、施設種別ごとの調査実績値に対し、地域に応じた係数により補正を行っているものの、近隣に新設された他の施設、対象施設の改築、対象施設運営事業者の事業計画といった対象施設固有の要因による人口変動を考慮できない。
【０００８】
本発明は、上記課題に鑑みてなされたものであり、既存の人口推計方法が対象とする施設以外にいる人の数を考慮し、既存の人口統計情報より空間解像度が高い、対象範囲の人口推計情報を提供することを目的とする。また、対象施設固有の要因による人口変動を考慮した人口推計情報を提供する。
【課題を解決するための手段】
【０００９】
本発明の一態様に係る人口推計システムは、人口を推計しようとする対象範囲を入力する入力手段と、エリアごとに対応付けられた人口統計値を格納する人口統計情報格納手段と、エリアごとに対応付けられた鳥瞰画像を格納する鳥瞰画像格納手段と、一般物体と、当該一般物体に滞在していることが期待される人の数を示す人数期待値とを対応付けた表を格納する人数期待値格納手段と、入力手段によって入力された対象範囲を含む鳥瞰画像を鳥瞰画像格納手段から取得し、取得した鳥瞰画像に含まれる一般物体を認識する認識手段と、人数期待値格納手段に格納された表を参照し、認識手段によって認識された鳥瞰画像に含まれる一般物体に人数期待値を割り当てる割当手段と、対象範囲を含む鳥瞰画像に対応するエリアの人口統計値を人口統計情報格納手段から取得し、割当手段によって割り当てられた対象範囲を含む鳥瞰画像に含まれる一般物体の人数期待値の合計値が取得した人口統計値と一致するように、当該一般物体の人数期待値に補正係数を乗ずる補正手段と、補正手段によって補正された、鳥瞰画像に含まれる一般物体の人数期待値を集計する集計手段と、を備える。
【００１０】
本発明の一態様に係る人口推計方法は、エリアごとに対応付けられた人口統計値を格納する人口統計情報格納部と、エリアごとに対応付けられた鳥瞰画像を格納する鳥瞰画像格納部と、一般物体と、当該一般物体に滞在していることが期待される人の数を示す人数期待値とを対応付けた表を格納する人数期待値格納部と、を備えた人口推計システムによって実行される人口推計方法であって、人口を推計しようとする対象範囲を入力する入力ステップと、入力ステップで入力された対象範囲を含む鳥瞰画像を鳥瞰画像格納部から取得し、取得した鳥瞰画像に含まれる一般物体を認識する認識ステップと、人数期待値格納部に格納された表を参照し、認識ステップで認識された鳥瞰画像に含まれる一般物体に人数期待値を割り当てる割当ステップと、対象範囲を含む鳥瞰画像に対応するエリアの人口統計値を人口統計情報格納部から取得し、割当ステップで割り当てられた対象範囲を含む鳥瞰画像に含まれる一般物体の人数期待値の合計値が取得した人口統計値と一致するように、当該一般物体の人数期待値に補正係数を乗ずる補正ステップと、補正ステップで補正された、鳥瞰画像に含まれる一般物体の人数期待値を集計する集計ステップと、を含む。
【００１１】
上記の人口推計システムまたは人口推計方法によれば、人口を推計しようとする対象範囲を含む鳥瞰画像に含まれる一般物体に人数期待値が割り当てられ、割り当てられた人数期待値の合計値が鳥瞰画像に対応するエリアの人口統計値と一致するように補正された後、人数期待値が集計される。このように補正された人数期待値を集計することによって、一般物体（たとえば種々の施設）以外にいる人の数を考慮し、既存の人口統計情報より空間解像度が高い、対象範囲の人口の推計を行うことができる。
【００１２】
人数期待値格納手段に格納された表は、さらに、一般物体が予め選択された一般物体であるか否かを示すフラグを一般物体および人数期待値と対応付けており、補正手段は、人数期待値格納手段に格納された表のフラグを参照し、予め選択された一般物体の人数期待値についてはその値を維持し、合計値から予め選択された一般物体の人数期待値を減算した値が、取得した人口統計値と一致するように、予め選択された一般物体以外の一般物体の人数期待値に補正係数を乗じてもよい。たとえば、滞在している人の数がおよそ決まっているような（取り得る人数が確からしい）一般物体を予め選択された一般物体としておけば、そのような一般物体の人数期待値を補正の対象から外すことで、対象範囲の人口の推計を精度良く行うことができる。
【００１３】
上記の人口推計システムでは、補正手段は、対象範囲を含む鳥瞰画像に含まれる一般物体が対象範囲またはエリアの境界をまたいで位置している場合には、鳥瞰画像において当該一般物体のうちの境界の内側に位置する部分の面積を、当該一般物体の全体の面積で除算した値を、当該一般物体の人数期待値に乗じてもよい。これにより、対象範囲の境界をまたがる一般物体が存在した場合でも、対象範囲の人口の推計を精度良く行うことができる。
【００１４】
上記の人口推計システムでは、人数期待値格納手段に格納された表は、さらに、時間帯および場所の組み合わせに応じた人数期待値を、一般物体と対応付けており、割当手段は、人数期待値格納手段に格納された表を参照し、時間帯および場所の組み合わせに応じた人数期待値を、認識手段によって認識された鳥瞰画像に含まれる一般物体に割り当ててもよい。これにより、時間と場所によって一般物体に滞在する人の数が変化し得る場合でも、対象範囲の人口の推計を精度良く行うことができる。
【００１５】
上記の人口推計システムでは、人数期待値格納手段に格納された表は、さらに、予め定められた一般物体について定義された単位面積当たりの人数期待値を、当該予め定められた一般物体と対応付けており、割当手段は、人数期待値格納手段に格納された表を参照し、単位面積当たりの人数期待値を用いて算出した人数期待値を、鳥瞰画像に含まれる一般物体のうち予め定められた一般物体に割り当ててもよい。これにより、一般物体の面積によって一般物体に滞在する人の数が変化し得る場合でも、対象範囲の人口の推計を精度良く行うことができる。
【００１６】
本発明の一態様に係る人口推計システムは、人口を推計しようとする対象範囲を入力する入力手段と、エリアごとに対応付けられた鳥瞰画像を格納する鳥瞰画像格納手段と、車を含む一般物体と、当該一般物体に滞在していることが期待される人の数を示す人数期待値とを対応付けて記述する表を格納する人数期待値格納手段と、駐車場と当該駐車場が付属する施設とを対応付けた表を格納する付属駐車場情報格納手段と、付属駐車場情報格納手段に格納された表を参照し、入力手段によって入力された対象範囲内の施設に付属する駐車場の有無を判定する判定手段と、判定手段によって対象範囲内の施設に付属する駐車場が有ると判定された場合、入力手段によって入力された対象範囲を含む鳥瞰画像を鳥瞰画像格納手段から取得し、取得した鳥瞰画像に含まれる施設に付属する駐車場内の車を認識する認識手段と、人数期待値格納手段に格納された表を参照し、認識手段によって認識された鳥瞰画像に含まれる車に、人数期待値を割り当てる割当手段と、割当手段によって割り当てられた車の人数期待値を集計することによって、施設の人口推計値を算出する算出手段と、を備える。
【００１７】
本発明の一態様に係る人口推計方法は、エリアごとに対応付けられた鳥瞰画像を格納する鳥瞰画像格納部と、車を含む一般物体と、当該一般物体に滞在していることが期待される人の数を示す人数期待値とを対応付けて記述する表を格納する人数期待値格納部と、駐車場と当該駐車場が付属する施設とを対応付けた表を格納する付属駐車場情報格納部と、を備えた人口推計システムによって実行される人口推計方法であって、人口を推計しようとする対象範囲を入力する入力ステップと、付属駐車場情報格納部に格納された表を参照し、入力ステップで入力された対象範囲内の施設に付属する駐車場の有無を判定する判定ステップと、判定ステップで対象範囲内の施設に付属する駐車場が有ると判定された場合、入力ステップで入力された対象範囲を含む鳥瞰画像を鳥瞰画像格納部から取得し、取得した鳥瞰画像に含まれる施設に付属する駐車場内の車を認識する認識ステップと、人数期待値格納部に格納された表を参照し、認識ステップで認識された鳥瞰画像に含まれる車に、人数期待値を割り当てる割当ステップと、割当ステップで割り当てられた車の人数期待値を集計することによって、施設の人口推計値を算出する算出ステップと、を含む。
【００１８】
上記の人口推計システムまたは人口推計方法によれば、対象範囲内の施設に付属駐車場が有ると判定された場合、対象範囲を含む鳥瞰画像に含まれる施設に付属する駐車場内の車に人数期待値が割り当てられ、割り当てられた人数期待値が集計されることによって、施設の人口推計値が算出される。これにより、付随する駐車場が有るか否かおよびその駐車場に駐車している車が有るか否かといった施設に固有の要因による人の数の変動を考慮しつつ、既存の人口統計情報より空間解像度が高い、対象範囲の人口の推計を行うことができる。
【００１９】
本発明の一態様に係る人口推計システムは、人口を推計しようとする対象範囲を入力する入力手段と、同一のエリアについての異なる時刻において取得された複数の人口統計値を、エリアごとに対応付けられた人口統計値として格納する人口統計情報格納手段と、同一のエリアについての異なる時刻において撮像された複数の鳥瞰画像を、エリアごとに対応付けられた鳥瞰画像として格納する鳥瞰画像格納手段と、入力手段によって入力された対象範囲を含む鳥瞰画像であって異なる時刻に撮像された複数の鳥瞰画像を鳥瞰画像格納手段から取得し、取得した複数の鳥瞰画像を時系列で比較することによって鳥瞰画像における存在の有無に変化のあった特定物体を認識する認識手段と、人口統計情報格納手段に格納された人口統計値を参照し、認識手段によって認識された特定物体が存在している鳥瞰画像の撮像時刻における当該鳥瞰画像に対応する人口統計値から、当該特定物体が存在していなかった鳥瞰画像の撮像時刻における当該鳥瞰画像に対応する人口統計値を減算することで、対象範囲の人口推計値を算出する算出手段と、を備える。
【００２０】
本発明の一態様に係る人口推計方法は、同一のエリアについての異なる時刻において取得された複数の人口統計値を、エリアごとに対応付けられた人口統計値として格納する人口統計情報格納部と、同一のエリアについての異なる時刻において撮像された複数の鳥瞰画像を、エリアごとに対応付けられた鳥瞰画像として格納する鳥瞰画像格納部と、を備えた人口推計システムによって実行される人口推計方法であって、人口を推計しようとする対象範囲を入力する入力ステップと、入力ステップで入力された対象範囲を含む鳥瞰画像であって異なる時刻に撮像された複数の鳥瞰画像を鳥瞰画像格納部から取得し、取得した複数の鳥瞰画像を時系列で比較することによって鳥瞰画像における存在の有無に変化のあった特定物体を認識する認識ステップと、人口統計情報格納部に格納された人口統計値を参照し、認識ステップで認識された特定物体が存在している鳥瞰画像の撮像時刻における当該鳥瞰画像に対応する人口統計値から、当該特定物体が存在していなかった鳥瞰画像の撮像時刻における当該鳥瞰画像に対応する人口統計値を減算することで、対象範囲の人口推計値を算出する算出ステップと、を含む。
【００２１】
上記の人口推計システムまたは人口推計方法によれば、特定物体が存在している鳥瞰画像の撮像時刻における当該鳥瞰画像に対応する人口統計値から、特定物体が存在していなかった鳥瞰画像の撮像時刻における鳥瞰画像に対応する人口統計値を減算することで、対象範囲の人口推計値が算出される。これにより、たとえば、対象範囲内に新たに特定物体が建設されたといった特定物体に固有の要因による人の数の変動を考慮しつつ、既存の人口統計情報より空間解像度が高い、対象範囲の人口の推計を行うことができる。
【発明の効果】
【００２２】
本発明によれば、既存の人口推計方法が対象とする対象施設以外にいる人の数を考慮し、既存の人口統計情報より空間解像度が高い、対象範囲の人口推計情報を提供することが可能になる。また、対象施設固有の要因による人口変動を考慮した人口推計情報を提供することが可能になる。
【図面の簡単な説明】
【００２３】
【図１】第１実施形態および第２実施形態に係る人口推計システムの概略構成を示す図である。
【図２】人数期待値格納部に格納される表の例を示す図である。
【図３】人口推計システムのハードウェア構成の例を示す図である。
【図４】第１実施形態に係る人口推計システムにおいて実行される処理の一例を示すフローチャートである。
【図５】人口推計システムにおいて実行される処理の例を概念的に説明するための図である。
【図６】人口推計システムにおいて実行される処理の例を概念的に説明するための図である。
【図７】第２実施形態に係る人口推計システムにおいて実行される処理の一例を示すフローチャートである。
【図８】第３実施形態に係る人口推計システムの概略構成を示す図である。
【図９】第３実施形態に係る人口推計システムにおいて実行される処理の一例を示すフローチャートである。
【図１０】第４実施形態に係る人口推計システムの概略構成を示す図である。
【図１１】第４実施形態に係る人口推計システムにおいて実行される処理の一例を示すフローチャートである。
【発明を実施するための形態】
【００２４】
以下、本発明の実施形態について、図面を参照しながら説明する。なお、図面の説明において同一要素には同一符号を付し、重複する説明は省略する。
【００２５】
［第１実施形態］
図１は、第１実施形態および後述の第２実施形態に係る人口統計システムの概略構成を示す図である。図１に示されるように、人口推計システム１００は、入力デバイス１０と、出力デバイス２０と、制御ユニット３０と、記憶部４０とを含む。たとえば、入力デバイス１０、出力デバイス２０、制御ユニット３０および記憶部４０が一つの端末装置に実装されることによって、人口推計システム１００が構成されてよい。
【００２６】
まず、入力デバイス１０および出力デバイス２０について説明する。入力デバイス１０は、人口推計システム１００における、人口を推計しようとする対象範囲を入力する部分（入力手段）である。入力デバイス１０は、たとえばキーボードおよびマウスなどの操作デバイスからなる。そのような操作デバイスを人口推計システム１００のユーザが用いることによって、対象範囲が指定される。入力デバイス１０は、指定された対象範囲を、制御ユニット３０に入力する。制御ユニット３０は、後述の原理により、対象範囲の人口を推計する。出力デバイス２０は、たとえばディスプレイからなり、制御ユニット３０による対象範囲の人口の推計の結果を表示する。
【００２７】
入力デバイス１０によって入力される対象範囲の指定の例について説明する。対象範囲は、地図上の座標（経度緯度など）を用いて指定することができる。たとえば、地図上の複数の座標を指定することによって、当該座標で囲まれた部分（たとえば、２つの座標を対角線の頂点とする長方形の部分、座標同士を結んだ直線を辺とする多角形の部分など）を対象範囲とすることができる。出力デバイス２０に地図が表示されている場合には、ユーザ操作によって地図上の一部の範囲を選択し、その選択範囲を対象範囲として指定することもできる。その他に、住所を入力することによってその住所に対応する地図上の部分を対象範囲として指定することもできる。
【００２８】
また、対象範囲の人口は、時間帯によって異なる場合もある。そのため、入力デバイス１０は、対象範囲とともに、人口を推計しようとする対象範囲の時刻または時間帯を入力することもできる。時刻の例は、年月日、時分などである。時間帯の例は、「平日」または「休日」のいずれかの時間帯を示す「明け方」、「日中」などである。時間帯の指定は、ユーザが入力デバイス１０を用いて行うことができる。なお、入力された時刻から当該時刻に対応する時間帯が指定されてもよい。
【００２９】
制御ユニット３０は、記憶部４０と協働して、入力デバイス１０によって入力された対象範囲の人口を推計する。具体的に、制御ユニット３０は、その機能ブロックとして、認識部３１と、割当部３２と、補正部３３と、集計部３４とを含む。また、記憶部４０は、人口統計情報格納部４１と、鳥瞰画像格納部４２と、人数期待値格納部４３とを含む。まず、記憶部４０に含まれる各要素について説明し、その後、制御ユニット３０に含まれる各要素について説明する。
【００３０】
人口統計情報格納部４１は、エリアごとに対応付けられた人口統計値を格納する部分（人口統計情報格納手段）である。エリアは、たとえば、数百メートル〜数キロメートル程度のメッシュとして定められてもよいし、あるいは市区町村単位で定められてもよい。その場合、人口統計値は、数百メートル〜数キロメートル程度のメッシュの人口統計値、あるいは市区町村単位での人口統計値である。人口統計情報は、時刻に関する情報と、場所に関する情報とを対応付けている。時刻に関する情報は、たとえば、年月日、時分秒を用いて表される。時刻に関する情報は、経度緯度、または市区町村別メッシュコードといった情報である。たとえば、エリアごとに対応付けられた人口統計値を提供可能なデータサーバが人口推計システム１００の外部に存在し、人口統計情報格納部４１は、そのデータサーバにアクセスすることによって人口統計値を取得することができる。データサーバの人口統計値は最新のものに更新されるようになっていてもよく、それによって、人口統計情報格納部４１は、入力デバイス１０によって対象範囲が入力された時刻を基準とした最新（その時刻に最も近い時刻の）の人口統計値を取得して格納することもできる。
【００３１】
鳥瞰画像格納部４２は、エリアごとに対応付けられた鳥瞰画像を格納する部分（鳥瞰画像格納手段）である。鳥瞰画像は、航空写真や衛星写真といった鳥瞰画像からなり、撮像時刻に関する情報と、撮像対象の場所に関する情報とを対応付けている。撮像時刻に関する情報は、たとえば、年月日、時分秒を用いて表される。撮像対象の場所に関する情報は、経度緯度、または市区町村別メッシュコードといった情報である。たとえば、エリアごとに対応付けられた鳥瞰画像を記憶しているデータサーバが人口推計システム１００の外部に存在し、鳥瞰画像格納部４２は、そのデータサーバにアクセスすることによって鳥瞰画像を取得することができる。データサーバの鳥瞰画像は最新のものに更新されるようになっていてもよく、それによって、鳥瞰画像格納部４２は、入力デバイス１０によって対象範囲が入力された時刻を基準とした最新（その時刻に最も近い撮像時刻の）鳥瞰画像を取得して格納することもできる。
【００３２】
人数期待値格納部４３は、一般物体と、当該一般物体に滞在していることが期待される人の数を示す人数期待値とを対応付けた表を格納する部分（人数期待値格納手段）である。この表は、予め作成されていてよい。一般物体は、後述の制御ユニット３０の認識部３１が鳥瞰画像を用いて認識することが可能なあらゆる物体を含む。たとえば鳥瞰画像に対して種々の公知の画像認識技術を用いて、その一般名詞を認識することが可能な物体であれば、一般物体となり得る。人数期待値格納部４３が格納する表は、一般物体の名称と、人数期待値とを対応付けている。人数期待値格納部４３が格納する表は、さらに、時間帯および場所の組み合わせに応じた人数期待値を、一般物体と対応付けている。また、人数期待値格納部４３が格納する表は、予め定められた一般物体について定義された単位面積当たりの人数期待値を、当該予め定められた一般物体と対応付けている。予め定められた一般物体については後述の第２実施形態で詳述する。
【００３３】
ここで、図２を参照して、人数期待値格納部４３に格納される表の例について説明する。図２に示される例では、表４３ａは、「一般物体」と「時間帯」と「場所」と「選択フラグ」と「人数期待値」とを対応付けている。「一般物体」は、先に説明した一般物体であり、この例では、乗用車、戸建住宅、ビルおよびショッピングセンターといった名称を用いて表されている。ビルおよびショッピングセンターのような建物の人数期待値は、その建物のサイズによって異なり得るので、この例では、サイズに応じて人数期待値を定めることができるように、単位面積当たり（つまり／ｍ２）の人数期待値とされている。「時間帯」は、その一般物体の人数期待値を時間帯に応じて区別するための属性である。この例では時間帯は「平日・明け方」などである。「場所」は、その一般物体の人数期待値を場所に応じて区別するための属性である。この例では場所は「国道」などである。「選択フラグ」は、一般物体が予め定められた一般物体であるか否かを示すフラグである。選択フラグが「Ｔｒｕｅ」の場合、当該一般物体は選択対象の一般物体であり、選択フラグが「Ｆａｌｓｅ」の場合、当該一般物体は非選択対象の一般物体である。選択対象の一般物体は、人数期待値がおよそ決まっているような（取り得る人数が確からしい）一般物体である。この例では、乗用車および戸建住宅が選択対象の一般物体であり、それ以外のビルおよびショッピングセンターが非選択対象の一般物体である。
【００３４】
再び図１に戻り、次に、制御ユニット３０に含まれる各要素について説明する。認識部３１は、入力デバイス１０によって入力された対象範囲を含む鳥瞰画像を鳥瞰画像格納部４２から取得し、取得した鳥瞰画像に含まれる一般物体を認識する部分（認識手段）である。鳥瞰画像に含まれる一般物体の認識手法はとくに限定されず、種々の公知の手法を用いることができる。たとえば、予めさまざまな一般物体の画像と、一般物体の名称とを対応付けて記述したデータベースが用意されており、鳥瞰画像とデータベースに含まれる一般物体の画像とを照合することによって、鳥瞰画像に含まれる一般物体の名称を認識することができる。このデータベースは人口推計システム１００内に設けられてもよいし、人口推計システム１００外に設けられてもよい。また、認識部３１は、一般物体の位置（場所）を認識する。一般物体の位置の例は、先に図２を参照して説明した人数期待値格納部４３に示される「場所」である。たとえば、上述の鳥瞰画像の撮像対象の場所に関する情報（経度緯度または市区町村別メッシュコード）と、鳥瞰画像中における一般物体の位置（たとえば鳥瞰画像中の一般物体の座標情報）とに基づいて、一般物体の位置（経度緯度など）を特定し、一般物体の位置を認識することができる。また、認識部３１は、一般物体の面積を認識することもできる。たとえば、一般物体の輪郭上の各位置（経度緯度など）を特定することによって、当該輪郭で囲まれた面積を一般物体の面積として認識できる。
【００３５】
割当部３２は、人数期待値格納部４３に格納された表を参照し、認識部３１によって認識された鳥瞰画像に含まれる一般物体に人数期待値を割り当てる部分（割当手段）である。つまり、先に図２を参照してしたように、人数期待値格納部４３に格納された表４３ａは「一般物体」の名称と「人数期待値」とを対応付けているので、認識部３１によって認識された一般物体の名称に対応する人数期待値を取得することができる。割当部３２は、取得した人数期待値を一般物体と対応付けることによって人数期待値を割り当てる。
【００３６】
先に説明したように、人数期待値格納部４３に格納された表は、時間帯および場所の組み合わせに応じた人数期待値を一般物体と対応付けている。この場合、割当部３２は、人数期待値格納部４３に格納された表を参照し、時間帯および場所の組み合わせに応じた人数期待値を、認識部３１によって認識された鳥瞰画像に含まれる一般物体に割り当てることもできる。また、先に説明したように、人数期待値格納部４３に格納された表は、予め定められた一般物体について定義された単位面積当たりの人数期待値をその一般物体と対応付けている。この場合、割当部３２は、人数期待値格納部４３に格納された表を参照し、単位面積当たりの人数期待値を用いて算出した人数期待値を、鳥瞰画像に含まれる一般物体のうち予め定められた一般物体に割り当てることもできる。たとえば、上述のように認識部３１によって認識された一般物体の面積に、単位面積当たりの人数期待値を乗算することによって、その一般物体の人数期待値を算出できる。
【００３７】
補正部３３は、割当部３２によって一般物体に割り当てられた人数期待値を補正する部分（補正手段）である。まず、補正部３３は、対象範囲を含む鳥瞰画像に対応するエリアの人口統計値を人口統計情報格納部４１から取得する。上述のように人口統計情報格納部４１は最新の人口統計値を取得して格納しているので、補正部３３は、たとえば、最新の人口統計値を人口統計情報格納部４１から取得する。そして、補正部３３は、割当部３２によって割り当てられた対象範囲を含む鳥瞰画像に含まれる一般物体の人数期待値の合計値が、人口統計情報格納部４１から取得した人数統計値と一致するように、当該一般物体の人数期待値に補正係数を乗ずる。たとえば、ある一般物体の人数期待値をＥ、対象範囲を含む鳥瞰画像に対応するエリアの人口統計値をＰｓ、当該エリアに含まれるすべての一般物体の人数期待値の合計をＰｅとする。この場合、補正部３３は、（Ｐｓ／Ｐｅ）を補正係数とし、Ｅａ＝Ｅ×（Ｐｓ／Ｐｅ）として、人数期待値をＥからＥａに補正する。
【００３８】
また、補正部３３は、鳥瞰画像において対象範囲の境界線またはエリアの境界線をまたいで位置する一般物体が存在するか否かを判断する。そのような一般物体が存在している場合には、補正部３３は、鳥瞰画像における、一般物体のうちの境界線の内側に位置する部分の面積（有効面積Ｓｉ）と、一般物体の全体の面積（全体面積Ｓｔ）とを算出する。そして、算出した有効面積Ｓｉを全体面積Ｓｔで除算し、その値を、その一般物体の人数期待値に乗ずる。これにより、一般物体の人数期待値が、有効面積Ｓｉ分の人数期待値に補正される。
【００３９】
集計部３４は、補正部３３によって補正された、鳥瞰画像に含まれる一般物体の人数期待値を集計する部分（集計手段）である。具体的に、集計部３４は、鳥瞰画像に含まれる一般物体のうちの対象範囲に含まれる一般物体の人数期待値の合計値を算出する。これにより、補正後の人数期待値を用いて、対象範囲に含まれる一般物体の人数期待値が推計される。
【００４０】
図３は、人口推計システムのハードウェア構成の例を示す図である。図２に示されるように、人口推計システム１００は、物理的には、１または複数のＣＰＵ（Central  Processing  Unit）１０１、主記憶装置であるＲＡＭ（Random  Access  Memory）１０２およびＲＯＭ（Read  Only  Memory)１０３、データ送受信デバイスである通信モジュール１０４、半導体メモリなどの補助記憶装置１０５、ユーザ操作の入力を受け付ける入力装置１０６、ディスプレイといった出力装置１０７などを備えるコンピュータとして構成され得る。記憶装置としてはＨＤＤ（Hard  Disc  Drive）またはＳＳＤ（Solid  State  Drive）が用いられてもよい。先に図１を参照して説明した人口推計システム１００の各機能は、たとえば、ＣＰＵ１０１、ＲＡＭ１０２などのハードウェア上に１または複数の所定のコンピュータソフトウェア（プログラム）を読み込ませて実行させることにより、ＣＰＵ１０１の制御のもとで通信モジュール１０４、入力装置１０６、出力装置１０７などを動作させるとともに、ＲＡＭ１０２および補助記憶装置１０５におけるデータの読み出しおよび書き込みを行うことで実現することができる。後述の人口推計システム１１０、人口推計システム２００、人口推計システム３００についても、人口推計システム１００と同様のハードウェア構成とすることができる。
【００４１】
次に、人口推計システム１００の動作の例を、図４および図５を用いて説明する。図４は、人口推計システム１００において実行される処理（人口推計方法）の一例を示すフローチャートである。図５は、人口推計システム１００において実行される処理を概念的に説明するための図である。なお、図４のフローチャートの処理に先立って、記憶部４０の人口統計情報格納部４１、鳥瞰画像格納部４２および人数期待値格納部４３には、先に説明した人口統計値、鳥瞰画像および人数期待値が予め格納されているものとする。また、図４のフローチャートのステップＳ１２（後述）の処理においてもそれらの各情報の最新の情報が取得される。
【００４２】
ステップＳ１１において、人口推計システム１００は、対象範囲を入力する（入力ステップ）。具体的に、入力デバイス１０が、先に説明したように、操作デバイスによって指定された対象範囲を制御ユニット３０に入力する。対象範囲とともに時刻または時間帯も入力される。
【００４３】
ステップＳ１２において、人口推計システム１００は、各種情報を記憶部へ格納する。具体的に、記憶部４０の人口統計情報格納部４１が、先のステップＳ１１の処理が実行された時点での最新の人口統計情報であって未だ人口統計情報格納部４１に格納されていない人口統計情報が先に説明した外部のデータサーバに存在する場合には、その最新の人口統計情報を取得して格納する。同様に、鳥瞰画像格納部４２が、先のステップＳ１１の処理が実行された時点での最新の鳥瞰画像であって未だ鳥瞰画像格納部４２に格納されていない鳥瞰画像が外部のデータサーバに存在する場合には、その最新の鳥瞰画像を取得して格納する。
【００４４】
ステップＳ１３において、人口推計システム１００は、鳥瞰画像に含まれる一般物体を認識する（認識ステップ）。具体的に、制御ユニット３０の認識部３１が、先のステップＳ１１で入力された対象範囲を含む鳥瞰画像を鳥瞰画像格納部４２から取得する。たとえば図５の（ａ）に示されるような鳥瞰画像が取得される。そして、認識部３１は、取得した鳥瞰画像に含まれる一般物体の名称、位置を認識する。たとえば、図５の（ｂ）に示されるように、鳥瞰画像に含まれる各一般物体の名称が認識される。なお、一般物体の面積も認識され得る。
【００４５】
ステップＳ１４において、人口推計システム１００は、人数期待値を割り当てる（割当ステップ）。具体的に、制御ユニット３０の割当部３２が、人数期待値格納部４３に格納された表４３ａ（図２）を参照し、先のステップＳ１３で認識された一般物体の名称と一致する（合致する）名称の一般物体の数期待値を表４３ａから取得する。そして、先のステップＳ１３で認識された一般物体に、取得した人数期待値を割り当てる。人数期待値が時間帯または場所ごとに定義されている場合には、時間帯または場所ごとに定義された人数期待値が割り当てられる。たとえば図５の（ｃ）に示されるように、鳥瞰画像に含まれる各一般物体に人数期待値が割り当てられる。ここで人数期待値が割り当てられる一般物体は、先のステップＳ１３で認識された名称に一致する名称が表４３ａ中に発見された一般物体のみであり、一致する名称が表４３ａ中に発見されなかった一般物体については人数期待値の割り当ては行われない。
【００４６】
ステップＳ１５において、人口推計システム１００は、人口統計による人数補正を行う（補正ステップ）。具体的に、制御ユニット３０の補正部３３が、先のステップＳ１１で入力された対象範囲を含む鳥瞰画像に対応するエリアの人口統計値を、人口統計情報格納部４１から取得する。取得される人口統計値は、対象範囲が入力された時刻に最も近い時刻の人口統計値を用いるとよい。そして、補正部３３は、先のステップＳ１４で人数期待値が割り当てられた一般物体の人数期待値の合計値が、取得した人口統計値と一致するように、先のステップＳ１４で割り当てられた人数期待値に、先に説明した補正係数を乗ずる。たとえば、図５の（ｄ）に示されるように、鳥瞰画像に含まれる一般物体の人数期待値が補正される。なお、一般物体が対象範囲の境界をまたいで位置している場合には、先に説明したように補正部３３は、鳥瞰画像における有効面積Ｓｉを全体面積Ｓｔで除算し、その値を、その一般物体の人数期待値に乗ずる。たとえば図６の（ａ）に示されるように破線で示される対象範囲の境界をまたいでビル（人数期待値は３０人）が位置している場合には、そのビルの有効面積Ｓｉを全体面積Ｓｔで除算した値（この例では０．５）を、そのビルの人数期待値（３０人）に乗じた値（１５人）が、そのビルの人数期待値とされる。
【００４７】
ステップＳ１６において、人口推計システム１００は、対象範囲での人数期待値の集計を行う（集計ステップ）。具体的に、制御ユニット３０の集計部３４が、先のステップＳ１５で補正された後の一般物体の人数期待値のうち、先のステップＳ１１で入力された対象範囲に含まれる一般物体の人数期待値の合計値を算出する。たとえば図５の（ｅ）に示されるように、対象範囲での人数期待値（３人、１．５人および１．５人）の合計値（６人）が算出される。
【００４８】
以上説明した人口推計システム１００によると、人口を推計しようとする対象範囲を含む鳥瞰画像に含まれる一般物体に人数期待値が割り当てられ（ステップＳ１４）、割り当てられた人数期待値の合計値が鳥瞰画像に対応するエリアの人口統計値と一致するように補正された後（ステップＳ１５）、人数期待値が集計される（ステップＳ１６）。このように補正された人数期待値を集計することによって、既存の人口推計方法の対象となる一般物体（たとえば種々の施設）以外にいる人の数を考慮し、既存の人口統計情報より空間解像度が高い、対象範囲の人口の推計を行うことができる。
【００４９】
ここで、上述のステップＳ１５において、制御ユニット３０の補正部３３が、先に説明したように、対象範囲を含む鳥瞰画像に含まれる一般物体が対象範囲またはエリアの境界をまたいで位置している場合には、鳥瞰画像において当該一般物体のうちの境界の内側に位置する部分の面積（有効面積Ｓｉ）を、当該一般物体の全体の面積（全体面積Ｓｔ）で除算した値を、当該一般物体の人数期待値に乗じてもよい。これにより、対象範囲の境界をまたがる一般物体が存在した場合でも、対象範囲の人口の推計を精度良く行うことができる。
【００５０】
また、上述のステップＳ１４において、制御ユニット３０の割当部３２が、先に説明したように、人数期待値格納部４３に格納された表を参照し、時間帯および場所の組み合わせに応じた人数期待値を、認識部３１によって認識された鳥瞰画像に含まれる一般物体に割り当ててもよい。これにより、時間と場所によって一般物体に滞在する人の数が変化し得る場合でも、対象範囲の人口の推計を精度良く行うことができる。
【００５１】
また、上述のステップＳ１４において、制御ユニット３０の割当部３２が、先に説明したように、人数期待値格納部４３に格納された表を参照し、単位面積当たりの人数期待値を用いて算出した人数期待値を、鳥瞰画像に含まれる一般物体のうち予め定められた一般物体に割り当ててもよい。これにより、一般物体の面積によって一般物体に滞在する人の数が変化し得る場合でも、対象範囲の人口の推計を精度良く行うことができる。
【００５２】
以上、第１実施形態について説明したが、第１実施形態に係る本発明は上記の内容に限定されるものでなく、たとえば次のような変形例が採用されてもよい。
【００５３】
上記第１実施形態では、人口推計システム１００は、記憶部４０の人数期待値格納部４３が一般名詞の一般物体の人数期待値を格納する例について説明したが、人数期待値格納部４３は、さらに固有名詞によって特定される一般物体の人数の期待値を格納してもよい。固有名詞によって特定される一般物体の人数期待値は、たとえばＷＥＢ上に公開されている施設の利用者数、催し物（イベント）の来場者数、特定の施設について調査・計測された来場者数といった情報を用いることができる。このような構成を採用することによって、一般物体に割り当てられる人数期待値の精度が向上し、対象範囲について、より精度の高い人口推計値を得ることが可能になる。
【００５４】
また、人数期待値格納部４３が格納する各一般物体の人数期待値うち、建物などの人が集まる施設の人数期待値については、人口推計システム１００の外部に存在する既存のデータベースから取得してもよい。この場合、たとえば、人数期待値格納部４３が格納する表４３ａのうち、施設の人数期待値としては、外部の既存のデータベースで作成された期待値を用いることができるので、人口推計システム１００内では、施設以外の一般物体についての人数期待値のみを作成しておけばよい。
【００５５】
また、上記第１実施形態では、制御ユニット３０の補正部３３が、入力デバイス１０によって対象範囲が入力された時刻に最も近い時刻の人口統計値を記憶部４０の人口統計情報格納部４１から取得し、取得した人口統計値を用いて鳥瞰画像に含まれる一般物体の人数期待値を補正する例について説明した。ただし、これに代えて、補正部３３は、入力デバイス１０によって入力された時刻に近い複数の時刻での人口統計値を人口統計情報格納部４１から取得し、取得したそれらの人口統計値の平均値を上述の補正における人口統計値として用いてもよい。このような処理を行うことで、求める対象範囲の人口推計値を与える時刻と、最も近い時刻との間に生じた突発的な人口変動による人口の推計精度の劣化を抑制することができる。
【００５６】
また、先に説明したように制御ユニット３０の割当部３２が一般物体の単位面積当たりの人数期待値を用いて算出した人数期待値を鳥瞰画像に含まれる一般物体のうち予め定められた一般物体に割り当てるのではなく、一般物体の容積に応じて割り当ててもよい。鳥瞰画像は一般物体を斜め上から見下ろす図であるので、鳥瞰画像に基づけば、一般物体の面積だけでなく高さをも認識でき、その結果、一般物体の容積を認識することもできるためである。このような処理を行うことによって、対象範囲またはエリアにまたがって位置している一般物体に割り当てられる人数期待値の精度が向上し、より精度の高い対象範囲の人口推計値を得ることが可能になる。
【００５７】
［第２実施形態］
次に、第２実施形態に係る人口推計システムについて、先に説明した第１実施形態に係る人口推計システムと相違する点について主に説明する。再び図１に戻り、第２実施形態に係る人口推計システム１１０は、第１実施形態に係る人口推計システム１００と比較して、補正部３３に代えて補正部３６を含む点において相違する。
【００５８】
先に説明したように、人数期待値格納部４３に格納されている表は、一般物体が予め選択された一般物体（人数期待値が確からしい一般物体）であるか否かを示す選択フラグを、一般物体および人数期待値と対応付けている。そこで、補正部３６は、人数期待値格納部４３に格納されている表の選択フラグを参照し、予め選択された一般物体の人数期待値についてはその値を維持する。そして、割当部３２によって割り当てられた対象範囲を含む鳥瞰画像に含まれる一般物体の人数期待値の合計値から予め選択された一般物体の人数期待値を減算した値を求める。さらに、補正部３６は、求めた値が、人口統計情報格納部４１から取得した人口統計値から予め選択された一般物体の人数期待値の合計値を減算した値と一致するように、非選択対象の一般物体の人数期待値に補正係数を乗ずる。たとえば、非選択対象の一般物体の人数期待値をＥｆ、対象範囲を含む鳥瞰画像に対応するエリアの人口統計情報の人口統計値をＰｓ、同エリアに含まれる選択対象の一般物体、非選択対象の一般物体の人数期待値の合計をそれぞれＰｔ、Ｐｆとすると、ステップＳ２３による補正後の一般物体の人数期待値Ｅａｆは、Ｅａｆ=Ｅｆ×（（Ｐｓ−Ｐｔ）／Ｐｆ）として算出される。
【００５９】
図７は、補正部３６によって実行される処理（人口推計方法）の一例を示すフローチャートである。このフローチャートの処理は、図４のステップＳ１５に代えて実行される。また、図７のフローチャートの処理は、図４のステップＳ１４において人数期待値が割り当てられた各一般物体のそれぞれについて実行される。
【００６０】
ステップＳ２１において、補正部３６は、人数期待値格納部４３に格納された表４３ａから、一般物体の人数期待値および選択フラグを取得する。
【００６１】
ステップＳ２２において、補正部３６は、選択フラグがＴｒｕｅまたはＦａｌｓｅのいずれであるかを判断する。選択フラグがＴｒｕｅの場合、人口推計システム１１０はステップＳ２３に処理を進める。選択フラグがＦａｌｓｅの場合、人口推計システム１１０はステップＳ２４およびステップＳ２５に処理を進める。
【００６２】
選択フラグがＴｒｕｅの場合、ステップＳ２３において、補正部３６は、当該一般物体が選択対象の一般物体であると判断し、その人数期待値を維持する。つまり、選択対象の一般物体の人数期待値が割り当てられる。
【００６３】
選択フラグがＦａｌｓｅの場合、ステップＳ２４において、補正部３６は、非選択対象の一般物体の人数期待値を補正する。すなわち、補正部３６は、先のステップＳ１４（図４）で割り当てられた一般物体の人数期待値の合計値から、先のステップＳ２１で選択された一般物体の人数期待値を減算した値が、人口統計情報格納部４１から取得した人口統計値から予め選択された一般物体の人数期待値の合計値を減算した値と一致するように、非選択対象の人数期待値に補正係数を乗ずる。その結果、ステップＳ２５において、先のステップＳ２４で補正された人数期待値が、非選択対象の一般物体の人数期待値として割り当てられる。
【００６４】
このように、人数期待値が確からしい一般物体を選択対象の一般物体として補正処理の対象から除外することで（ステップＳ２２：Ｔｒｕｅ）、より精度の高い対象範囲の人口推計値を得ることが可能になる。
【００６５】
［第３実施形態］
次に、第３実施形態に係る人口推計システムについて、先に説明した第１実施形態に係る人口推計システムと相違する点について主に説明する。図８は、第３実施形態に係る人口推計システムの概略構成を示す図である。第３実施形態に係る人口推計システム２００は、第１実施形態に係る人口推計システム１００と比較して、制御ユニット３０に代えて制御ユニット５０を含み、記憶部４０に代えて記憶部６０を含む点において相違する。
【００６６】
まず、記憶部６０について説明する。記憶部６０は、記憶部４０と比較して、人口統計情報格納部４１に代えて付属駐車場情報格納部６１を含む点において相違する。付属駐車場情報格納部６１は、駐車場と当該駐車場が付属する施設とを対応付けた表（付属駐車場情報を記述する表）を格納する部分（付属駐車場情報格納手段）である。表において、駐車場は名称、位置情報（経度緯度）などを用いて特定されてよい。駐車場が付属する施設についても同様である。たとえば、駐車場と当該駐車場が付属する施設とを対応付けて記憶しているデータサーバが人口推計システム２００の外部に存在し、付属駐車場情報格納部６１は、そのデータサーバにアクセスすることによって、付属駐車場情報を取得することができる。データサーバの付属駐車場情報は最新のものに更新されるようになっていてもよく、それによって、付属駐車場情報格納部６１は、入力デバイス１０によって対象範囲が入力された時刻を基準とした最新（その時刻に最も近い時刻の）付属駐車場情報を取得して格納することもできる。
【００６７】
次に、制御ユニット５０について説明する。制御ユニット５０は、判定部５１と、認識部５２と、割当部５３と、算出部５４とを含む。
【００６８】
判定部５１は、付属駐車場情報格納部６１に格納された表を参照し、入力デバイス１０によって入力された対象範囲内の施設に付属する駐車場の有無を判定する部分（判定手段）である。上述のように付属駐車場情報格納部６１に格納された表には施設に付属する駐車場の位置情報が示されているので、判定部５１はその位置情報から、当該表において、対象範囲内に位置している駐車場が存在している場合には、対象範囲内の施設に付属する駐車場が有ると判定する。
【００６９】
認識部５２は、判定部５１によって対象範囲内の施設に付属する駐車場が有ると判定された場合、入力デバイス１０によって入力された対象範囲を含む鳥瞰画像を鳥瞰画像格納部４２から取得し、取得した鳥瞰画像に含まれる施設に付属する駐車場内の車を認識する部分（認識手段）である。認識の手法は認識部３１（図１）のものと同様であってよい。
【００７０】
割当部５３は、人数期待値格納部４３に格納された表を参照し、認識部５２によって認識された鳥瞰画像に含まれる車に、人数期待値を割り当てる部分（割当手段）である。割当の手法は割当部３２（図１）のものと同様であってよい。ここで割り当てられる人数期待値は、後述の算出部５４が、駐車場が付属する施設の人口推計値を算出するため用いる。この場合、単に人数期待値格納部４３に格納された表を参照するだけでは、先に図２を参照して説明したように、車（乗用車）の人数期待値は場所が「施設付属の駐車場」の場合には０．０人となっており、駐車場が付属する施設の人数期待値としては適切でない。そこで、割当部５３は、場所が「施設付属の駐車場」ではなくその付近の道路の場合の人数期待値を用いる。図２に示される例では、場所「国道」の１．０人、場所「娯楽施設周辺」の４．０人などが、人数期待値として用いられる。
【００７１】
算出部５４は、割当部５３によって割り当てられた車の人数期待値を集計することによって、施設の人口推計値を算出する部分（算出手段）である。より具体的に、算出部５４は、駐車場に含まれる車の人数期待値の合計値を、施設の人口推計値として算出する。
【００７２】
図９は、人口推計システム２００において実行される処理（人口推計方法）の一例を示すフローチャートである。なお、図９のフローチャートの処理に先立って、記憶部６０の付属駐車場情報格納部６１、鳥瞰画像格納部４２および人数期待値格納部４３には、先に説明した付属駐車場情報、人口統計値および鳥瞰画像が予め格納されているものとする。また、図９のフローチャートのステップＳ３２（後述）の処理においてもそれらの各情報の最新の情報が取得される。
【００７３】
ステップＳ３１の処理は、先に図４を参照して説明したステップＳ１１の処理と同様である。すなわち、人口推計システム２００は、対象範囲を入力する（入力ステップ）。
【００７４】
ステップＳ３２において、人口推計システム２００は、各種情報を記憶部へ格納する。具体的に、記憶部６０の付属駐車場情報格納部６１が、先のステップＳ１１の処理が実行された時点での最新の付属駐車場情報であって未だ付属駐車場情報格納部６１に格納されていない付属駐車場情報が外部のデータサーバに存在する場合には、その最新の付属駐車場情報を取得して格納する。鳥瞰画像格納部４２の鳥瞰画像および人数期待値格納部４３の人数期待値についても同様である。
【００７５】
ステップＳ３３において、人口推計システム２００は、付属駐車場が有るか否かを判断する（判定ステップ）。具体的に、制御ユニット５０の判定部５１が、付属駐車場情報格納部６１に格納された表を参照し、先のステップＳ３１で入力された対象範囲内の施設に付属する駐車場（付属駐車場）の有無を判定する。付属駐車場が有る場合（ステップＳ３３：ＹＥＳ）、人口推計システム２００はステップＳ３４〜Ｓ３６に処理を進める。そうでない場合（ステップＳ３３：ＮＯ）、人口推計システム２００はステップＳ３４〜Ｓ３６の処理を実行せずにフローチャートの処理を終了する。
【００７６】
ステップＳ３４において、人口推計システム２００は、車画像を認識する（認識ステップ）。具体的に、認識部５２が、先のステップＳ３１で入力された対象範囲を含む鳥瞰画像を鳥瞰画像格納部４２から取得し、取得した鳥瞰画像に含まれる施設に付属する駐車場内の車を認識する。
【００７７】
ステップＳ３５において、人口推計システム２００は、人数期待値を割り当てる（割当ステップ）。具体的に、制御ユニット５０の割当部５３が、人数期待値格納部４３に格納された表を参照し、先のステップＳ３４で認識された車に、人数期待値を割り当てる。先に説明したように、ここで用いられる人数期待値は場所が「施設付属の駐車場」ではなくその付近の道路、たとえば「国道」、「娯楽施設周辺」の人数期待値である。
【００７８】
ステップＳ３６において、人口推計システム２００は、駐車場内での集計を行う（算出ステップ）。具体的に、制御ユニット５０の算出部５４が、先のステップＳ３５で割り当てられた車の人数の期待値の合計値を、施設の人口推計値として算出する。
【００７９】
このように駐車場に駐車された車の台数から施設を利用している（施設に滞在している）人の数を推計することによって（ステップＳ３６）、付随する駐車場が有るか否かおよびその駐車場に駐車している車が有るか否かといった施設に固有の要因による人の数の変動を考慮しつつ（ステップＳ３３）、既存の人口統計情報より空間解像度が高い、対象範囲の人口の推計を行うことができる。
【００８０】
［第４実施形態］
次に、第４実施形態に係る人口推計システムについて、先に説明した第１実施形態に係る人口推計システムと相違する点について主に説明する。図１０は、第４実施形態に係る人口推計システムの概略構成を示す図である。第４実施形態に係る人口推計システム３００は、第１実施形態に係る人口推計システム１００と比較して、制御ユニット３０に代えて制御ユニット７０を含み、記憶部４０に代えて記憶部８０を含む点において相違する。
【００８１】
まず、記憶部８０について説明する。記憶部８０は、記憶部４０と比較して、人口統計情報格納部４１および鳥瞰画像格納部４２に代えて、人口統計情報格納部８１および鳥瞰画像格納部８２を含み、さらにキャッシュ８３を含む点において相違する。人口統計情報格納部８１は、同一のエリアについての異なる時刻において取得された複数の人口統計値を、エリアごとに対応付けられた人口統計値として格納する部分（人口統計情報格納手段）である。つまり、人口統計情報格納部８１は、最新の人口統計値だけでなく、過去の人口統計値も格納している。人口統計値の取得方法については、人口統計情報格納部４１（図１）と同様に、外部のデータサーバにアクセスすることによって行われてよい。その場合、人口統計情報格納部８１は、たとえば一定の周期で外部のデータサーバにアクセスすることで、異なる時刻で統計がなされた複数の人口統計値を各人口統計値の取得時刻と対応付けて格納する。つまり、複数の人口統計値が時系列で格納される。
【００８２】
鳥瞰画像格納部８２は、同一のエリアについての異なる時刻において撮像された複数の鳥瞰画像を、エリアごとに対応付けられた鳥瞰画像として格納する部分（鳥瞰画像格納手段）である。つまり、鳥瞰画像格納部８２は、最新の鳥瞰画像だけでなく、過去の鳥瞰画像も格納している。鳥瞰画像の取得方法については、鳥瞰画像格納部４２（図１）と同様に、外部のデータサーバにアクセスすることによって行われてよい。その場合、鳥瞰画像格納部８２は、たとえば一定の周期で外部のデータサーバにアクセスすることによって、異なる時刻で撮像された複数の鳥瞰画像を各鳥瞰画像の撮像時刻と対応付けて格納する。つまり、複数の鳥瞰画像が時系列で格納される。
【００８３】
キャッシュ８３は、後述の制御ユニット７０の処理に必要な情報を一時的に記憶する部分である。
【００８４】
次に、制御ユニット７０について説明する。制御ユニット７０は、認識部７１および算出部７２を含む。認識部７１は、入力デバイス１０によって入力された対象範囲を含む鳥瞰画像中の特定物体を認識する部分（認識手段）である。具体的に、制御ユニット７０は、対象範囲を含む鳥瞰画像であって異なる時刻に撮像された複数の鳥瞰画像を鳥瞰画像格納部８２から取得する。取得した各鳥瞰画像は、キャッシュ８３に記憶される。算出部７２は、キャッシュ８３を参照し、取得した複数の鳥瞰画像を時系列で比較することによって鳥瞰画像における存在の有無に変化のあった一般物体を、特定物体として認識する。たとえば、建設前後のビルは、鳥瞰画像を時系列で比較した場合に鳥瞰画像における存在の有無に変化があるので、特定物体として認識される。
【００８５】
算出部７２は、特定物体の影響を考慮して、対象範囲の人口推計値を算出する部分（算出手段）である。具体的に、算出部７２は、人口統計情報格納部８１に格納された人口統計値を参照し、認識部７１によって認識された特定物体が存在している鳥瞰画像の撮像時刻における当該鳥瞰画像に対応する人口統計値から、当該特定物体が存在していなかった鳥瞰画像の撮像時刻における当該鳥瞰画像に対応する人口統計値を減算する。なお、撮像時刻における人口統計値は、当該撮像時刻に最も近い時刻（直近の時刻）の人口統計値であってよい。そして、減算した人口統計値を、対象範囲の人口推計値として算出する。たとえば、まず、対象範囲を含み、かつ鳥瞰画像の撮像時刻に最も近い時刻の人口統計値Ｐａを、人口統計情報格納部８１から取得する。また、対象範囲を含み、かつ特定物体が存在しないと判定された鳥瞰画像の撮像時刻に最も近い時刻の人口統計値Ｐｂを、人口統計情報格納部８１から取得する。そして、ＰａからＰｂを減算した値を、対象範囲の人口推計値として算出する。
【００８６】
図１１は、人口推計システム３００において実行される処理（人口推計方法）の一例を示すフローチャートである。なお、図１１のフローチャートの処理に先立って、記憶部８０の人口統計情報格納部８１、鳥瞰画像格納部８２および人数期待値格納部４３には、先に説明した人口統計値、鳥瞰画像および人数期待値が予め格納されているものとする。また、図１１のフローチャートのステップＳ４２（後述）の処理においてもそれらの各情報の最新の情報が取得される。
【００８７】
ステップＳ４１の処理は、先に図４を参照して説明したステップＳ１１の処理と同様である。すなわち、人口推計システム３００は、対象範囲を入力する（入力ステップ）。
【００８８】
ステップＳ４２において、人口推計システム３００は、各情報を記憶部へ格納する。具体的に、記憶部８０の人口統計情報格納部８１が、先のステップＳ３１の処理が実行された時点での最新の人口統計値であって未だ人口統計情報格納部８１に格納されていない人口統計値が先に説明した人口推計システム３００の外部のデータサーバに存在する場合には、その最新の人口統計値を取得して格納する。鳥瞰画像格納部８２の鳥瞰画像および人数期待値格納部４３の人口期待値についても同様である。
【００８９】
ステップＳ４３において、人口推計システム３００は、対象範囲の画像を抽出する。具体的に、制御ユニット７０の認識部７１が、先のステップＳ４１で入力された対象範囲を含む鳥瞰画像を鳥瞰画像格納部８２から取得し、取得した鳥瞰画像のうちの対象範囲の部分（対象範囲画像）を抽出して、抽出した対象範囲画像をキャッシュ８３に記憶する。なお、このときに取得される鳥瞰画像および抽出される対象範囲画像は、最新の撮像時刻の画像（現在の画像）であってよい。
【００９０】
次のステップＳ４４〜Ｓ４６においては、先のステップＳ４３で抽出された対象範囲の画像と、記憶部８０の鳥瞰画像格納部８２に格納された鳥瞰画像であって異なる時刻に撮像された複数鳥瞰画像とを、順番に（時系列で）比較することによって、特定物体の有無が認識される（認識ステップ）。すなわち、制御ユニット７０の認識部７１が、先のステップＳ４３で取得された鳥瞰画像の撮像時刻よりも前の時刻に撮像された鳥瞰画像であって、先のステップＳ４１で入力された対象範囲を含む鳥瞰画像を、鳥瞰画像格納部８２から取得する（ステップＳ４４）。そして、認識部７１は、先のステップＳ４３でキャッシュ８３に記憶された対象範囲画像と、先のステップＳ４４で取得した鳥瞰画像とを比較することによって、鳥瞰画像中に特定物体が存在しているか否かを判断する（ステップＳ４５、Ｓ４６）。たとえば、鳥瞰画像中の対象範囲画像の部分において存在の有無に変化のあった一般物体が有る場合には、当該一般物体が特定物体に該当するため、特定物体が存在していると判断される。特定物体が存在している場合には（ステップＳ４６：ＹＥＳ）、人口推計システム３００はステップＳ４７に処理を進める。そうでない場合（ステップＳ４６：ＮＯ）、人口推計システム３００はステップＳ４４に再び処理を戻す。なお、再び処理が戻された後のステップＳ４４で取得される鳥瞰画像は、その前の同ステップで取得された鳥瞰画像の撮像時刻よりも前の時刻に撮像された鳥瞰画像とされる。なお、ステップＳ４６にてＹｅｓとの判断が繰り返しなされ、予め定められた数のループ回数（ステップＳ４４〜Ｓ４６）を上回ったときには、人口推計システム３００はステップＳ４７の処理を実行することなくフローチャートの処理を終了してもよい。
【００９１】
ステップＳ４７において、人口推計システム３００は、２つの画像の時刻に基づいて人口の差を算出する（算出ステップ）。具体的に、制御ユニット７０の算出部７２が、先のステップＳ４３で取得された鳥瞰画像の撮像時刻における人口統計値Ｐａと、先のステップＳ４６で特定物体が存在すると判断された鳥瞰画像の撮像時刻における人口統計値Ｐｂとを人口統計情報格納部８１から取得し、ＰａからＰｂを減算した値を対象範囲の人口推計値として算出する。
【００９２】
このように、特定物体が存在する時刻の人口統計値から特定物体が存在しない時刻の人口統計値を減算して対象範囲の人口推計値を算出することによって（ステップＳ４７）、たとえば、対象範囲内に新たに特定物体が建設されたといった特定物体に固有の要因による人の数の変動を考慮しつつ（ステップＳ４６）、既存の人口統計情報より空間解像度が高い、対象範囲の人口の推計を行うことができる。
【００９３】
以上、本発明の実施形態について説明したが、本発明は上記実施形態に限定されるものではない。たとえば、上記第１および第２実施形態では入力デバイス１０、出力デバイス２０、制御ユニット３０、記憶部４０を一つの端末装置に実装した場合を例に挙げて説明した。ただし、入力デバイス１０および出力デバイス２０を備える端末装置と、制御ユニット３０を備えるサーバと、記憶部４０を有する記憶装置との間で、通信ネットワークを介して情報をやり取りする形態が採用されてもよい。さらに、記憶部４０に含まれる人口統計情報格納部４１、鳥瞰画像格納部４２および人数期待値格納部４３をそれぞれ有する記憶装置が個別に設けられていてもよい。これにより、端末装置側では、記憶装置の設置・維持コストを低減することが可能となる。上記第３および第４実施形態についても同様である。
【００９４】
また、上記実施形態では、鳥瞰画像として衛星写真や航空写真といった写真のみを用いることが想定されていた。しかしながら、本発明はこれに限定されない。例えば、UAV（Unmanned Aerial Vehicle）による空撮写真や監視カメラによる写真により、雲の影や物影となっていた範囲の情報、および鳥瞰画像では空間・時間解像度の制約から取得することができなかった情報を取得し、鳥瞰画像と組み合わせて、対象範囲の人口推計システムに利用してもよい。このようにすると、鳥瞰画像に不足していた情報が補足され、より精度の高い対象範囲の人口推計値を得ることが可能となる。
【００９５】
以上のように、本発明は、上記実施形態そのままに限定されるものではなく、実施段階では、その要旨を逸脱しない範囲で構成要素を変形して具体化できる。また、上記実施形態に開示されている複数の構成要素の適宜な組み合わせにより種々の発明を形成できる。例えば、実施形態にしめされる全構成要素から幾つかの構成要素を消去してもよい。さらに、異なる実施形態に亘構成要素を適宜組み合わせてもよい。
【符号の説明】
【００９６】
１０…入力デバイス、２０…出力デバイス、３０、５０、７０…制御ユニット、３１、７１…認識部（認識手段）、３２…割当部（割当手段）、３３、３６…補正部（補正手段）、３４…集計部（集計手段）、４０、６０、８０…記憶部、４１、８１…人口統計情報格納部（人口統計情報格納手段）、４２、８２…鳥瞰画像格納部（鳥瞰画像格納手段）、４３…人数期待値格納部（人数期待値格納手段）、４３ａ…表、７２…算出部（算出手段）、８３…キャッシュ。
【図１】
0006666796.tif 000002
【図２】
0006666796.tif 000003
【図３】
0006666796.tif 000004
【図４】
0006666796.tif 000005
【図５】
0006666796.tif 000006
【図６】
0006666796.tif 000007
【図７】
0006666796.tif 000008
【図８】
0006666796.tif 000009
【図９】
0006666796.tif 000010
【図１０】
0006666796.tif 000011
【図１１】
0006666796.tif 000012